(57)【要約】      （修正有）【課題】アルミパイプ材や塗装した鉄パイプ材で形成してあるゴルフカートアームの外力による損傷防止や発銹遅延化と、搭乗者自身の衝突による負傷や擦傷の軽減化を図るアームレストを提供する。【解決手段】ゴルフカートの座席横のサイドアーム及び又は前部座席背部のフロントアームの外周面を覆わせるに足る所要幅と所要長さを備えた網目状の帯状材１が、アームに対する防錆と錆隠しを行い、搭乗者に対する衝撃緩和と打撲傷や擦傷を軽減するクッション性を備え、かつ、帯状材１が、その長手方向に沿った両側縁部２，３に、相互に連接・分離可能な着脱部材４，５を備え、この着脱部材４，５どうしの連接操作と離脱操作によってアームに対する着脱操作を行う。【選択図】図３
0003161690.tif 000002
【実用新案登録請求の範囲】
【請求項１】
ゴルフカート(C)の座席横のサイドアーム(A)及び又は前部座席背部のフロントアーム(B)の外周面を覆わせるに足る所要幅と所要長さを備えた網目状の帯状材(1)であって、
該帯状材(1)が、前記アームに対する防錆と錆隠しを行い、搭乗者に対する衝撃緩和と打撲傷や擦傷を軽減するクッション性を備え、かつ、
該帯状材(1)が、その長手方向に沿った両側縁部(2，3)に、相互に連接・分離可能な着脱部材(4，5)を備え、この着脱部材(4，5)どうしの連接操作と離脱操作によって前記アームに対する着脱操作を行う構造としてあるゴルフカートのアームレスト。
【請求項２】
ゴルフカート(C)の座席横のサイドアーム(A)及び又は前部座席背部のフロントアーム(B)の外周面を覆わせるに足る所要幅と所要長さを備えた網目状の帯状材(1)であって、
当該アームに対する防錆と錆隠しを行い、搭乗者に対する衝撃緩和と打撲傷や擦傷を軽減するクッション性を備え、かつ、
該帯状材(1)が、その長手方向に沿った両側縁部(2，3)に相互に連接・分離可能なジッパー(4，5)を備え、このジッパー(4，5)どうしの連接操作と離脱操作によって前記アームに対する着脱操作を行う構造としてあるゴルフカートのアームレスト。
【請求項３】
ゴルフカート(C)の座席横のサイドアーム(A)及び又は前部座席背部のフロントアーム(B)の外周面を覆わせるに足る所要幅と所要長さを備えた網目状の帯状材(1)であって、
該帯状材(1)が、亀甲編みした上下二面の編み生地(12，12)と、その間を所定間隔(a)を維持させて立体的に連結した無数の連結糸(13)とからなり、厚さ方向にクッション性を備えた立体縫製生地で形成され、前記アームに対する防錆と錆隠しを行い、搭乗者に対する衝撃緩和と打撲傷や擦傷を軽減し、かつ、
該帯状材(1)が、その長手方向に沿った両側縁部(2，3)に相互に連接・分離可能な着脱部材(4，5)を備え、この着脱部材(4，5)どうしの連接操作と離脱操作によって前記アームに対する着脱操作を行う構造としてあるゴルフカートのアームレスト。
【考案の詳細な説明】
【技術分野】
【０００１】
本考案は、近年急速に普及しているゴルフ場の乗用カートのアームの外周面に取り付けて、当該アームの防錆と錆隠しを行い、同時に、搭乗者に対する衝撃緩和と打撲傷や擦傷を軽減するために使用するカートアームへの装着体に関するものである。
【背景技術】
【０００２】
従来から、この種のゴルフ場の乗用カートにおけるアームは、アルミパイプや鉄パイプに防錆塗装を施したものを適宜形状に曲げ加工したものであって、その多くはアルミパイプや防錆塗装した鉄パイプ材を露出状態で使用している。このことは、下記の特許文献１にも示されている通りである。
【先行技術文献】
【特許文献】
【０００３】
【特許文献１】特開平１１−２１６２１４号公報
【考案の概要】
【考案が解決しようとする課題】
【０００４】
このように、従来のゴルフ場における乗用カートにあっては、前後座席の両横に形成されたサイドアームのみならず、前部座席の背部で後部座席の前方に形成されたフロントアームもまた、アルミパイプや塗装鉄パイプを曲げ加工したままの、パイプ素材そのものの露出体で形成されている。
【０００５】
そのため、これらのアームは、降雨飛沫や洗浄散水等によって発銹しやすく、また、外部からの衝撃による摩擦傷によってより一層短期間に発銹しやすくなり、その結果、表面の円滑性が損なわれやすく、美観が損なわれやすいものとなっている。一旦発銹すると微細粒子がアームの表面に誘出されたり、錆が拡大して手触りが低下する。他方、カートの搭乗者であるゴルファーは、時としてカートに急いで乗りこむ際にサイドアームへ衝突して打撲傷を負ったり、接触して擦傷を負ったりするなど、搭乗者自身が負傷するというアクシデントが避けにくいものとなっている。
【０００６】
そこで、本考案は、このようなゴルフカートにおける従来のアルミパイプ材や塗装した鉄パイプ材の露出体で形成してあるアームの外力による損傷防止や発銹遅延化とともに、搭乗者自身の衝突による負傷や擦傷の軽減化を図るため、アームの外周面を弾性を備えたクッション材で覆って保護するアームレストをここに提案しようとするものである。
【課題を解決するための手段】
【０００７】
該目的を達成するために講じた本考案の請求項１に記載のゴルフカートのアームレストの構成を説明すると、該アームレストは、ゴルフカートＣの座席横のサイドアームＡ及び又は前部座席背部のフロントアームＢの外周面を覆わせるに足る所要幅と所要長さを備えた網目状の帯状材１であって、該帯状材１が、前記アームに対する防錆と錆隠しを行い、搭乗者に対する衝撃緩和と打撲傷や擦傷を軽減するクッション性を備え、かつ、該帯状材１が、その長手方向に沿った両側縁部２，３に、相互に連接・分離可能な着脱部材４，５を備え、この着脱部材４，５どうしの連接操作と離脱操作によって前記アームに対する着脱操作を行う構成としたものである。
【０００８】
また、請求項２に記載のゴルフカートのアームレストの構成は、ゴルフカートＣの座席横のサイドアームＡ及び又は前部座席背部のフロントアームＢの外周面を覆わせるに足る所要幅と所要長さを備えた網目状の帯状材１であって、当該アームに対する防錆と錆隠しを行い、搭乗者に対する衝撃緩和と打撲傷や擦傷を軽減するクッション性を備え、かつ、該帯状材１が、その長手方向に沿った両側縁部２，３に相互に連接・分離可能なジッパー４，５を備え、このジッパー４，５どうしの連接操作と離脱操作によって前記アームに対する着脱操作を行う構成としたものである。
【０００９】
請求項３に記載のゴルフカートのアームレストの構成は、ゴルフカートＣの座席横のサイドアームＡ及び又は前部座席背部のフロントアームＢの外周面を覆わせるに足る所要幅と所要長さを備えた網目状の帯状材１であって、該帯状材１が、亀甲編みした上下二面の編み生地１２，１２と、その間を所定間隔ａを維持させて立体的に連結した無数の連結糸１３とからなり、厚さ方向にクッション性を備えた立体縫製生地で形成され、前記アームに対する防錆と錆隠しを行い、搭乗者に対する衝撃緩和と打撲傷や擦傷を軽減し、かつ、該帯状材１が、その長手方向に沿った両側縁部２，３に相互に連接・分離可能な着脱部材４，５を備え、この着脱部材４，５どうしの連接操作と離脱操作によって前記アームに対する着脱操作を行う構成としたものである。
【考案の効果】
【００１０】
本考案の請求項１にいうところのゴルフカートのアームレストは、ゴルフカートの座席横のサイドアームや前部座席背部のフロントアームの外周面を覆わせるに足る所要幅と所要長さを備えた網目状の帯状材であって、該帯状材が、前記アームに対する防錆と錆隠しを行い、搭乗者に対する衝撃緩和と打撲傷や擦傷を軽減するクッション性を備え、かつ、該帯状材が、その長手方向に沿った両側縁部に、相互に連接・分離可能な着脱部材を備え、この着脱部材どうしの連接操作と離脱操作によって前記アームに対する着脱操作を行うようにしたものであるから、アームを外部から保護して発銹を遅延させ、発銹しても目立ち難いものとして保護し、搭乗者が受ける打ち身や擦傷の発生を大幅に減少させることができるという利点がある。
【００１１】
また、本考案の請求項２にいうところのゴルフカートのアームレストは、帯状材の長手方向に沿った両側縁部に取り付けた相互に連接・分離可能な部材として、一般に周知のジッパーを取り付けたものとしてあるので、このジッパーの連接操作と離脱操作によって、アームレストの定期的な取り替え作業や損傷の激しいものを順次新品と交換する作業が容易にでき、常に清潔感のあるゴルフカートを継続して使用することができる効果が期待できる。
【００１２】
本考案の請求項３にいうところのゴルフカートのアームレストは、帯状材を、亀甲編みした上下二面の編み生地と、その間を所定間隔を維持させて立体的に連結した無数の連結糸とからなり、厚さ方向にクッション性を備えた立体縫製生地で形成してあるものとし、ゴルフカートの前記アームに対する防錆と錆隠しを行い、搭乗者に対する衝撃緩和と打撲傷や擦傷を軽減することができるようにしたものであるから、通気性に優れたものでありながら、発銹を抑え、ゴルファーの汗または雨に濡れた手でも滑ることなく握りやすく、冬の極寒期でも金属の冷たさを感じさせず確実に握りやすいという独自の効果を有する。
【図面の簡単な説明】
【００１３】
【図１】アームレストを装着したゴルフカートを示す全体斜視図。
【図２】図１の要部を拡大して示したゴルフカートの斜視図。
【図３】アームレストの全体形状を示す平面図。
【図４】アームレストの部分拡大平面図。
【図５】アームレストの要部を説明する斜視図。
【考案を実施するための形態】
【００１４】
前記のような構成とした本考案にいうアームレストを形成する繊維素材としては、例えば、耐摩耗性・耐寒冷性・耐衝撃性に優れ、漁網やテグスとして使用されているポリアミド繊維や、同様に耐摩性や柔軟性・弾性に優れ、スパンデックス繊維として知られているポリウレタン繊維を使用することができる。しかしながら、これらの繊維素材は例示であって素材を限定する意図の記載ではない。
【００１５】
また、本考案にいうアームレストのアームへの取り付けや取り外し手段としては、ジッパーのみに限られるものではなく、帯状材の長手方向に沿った両側縁部に雌雄の面ファスナーを取り付けてファスナー部分を重合して連結する手段や、クリップやフック等を使用して止め付ける手段等、一般に周知の取付手段を使用することができる。
【実施例１】
【００１６】
以下添付の図面に基づいて本考案の代表的な実施例を説明する。該実施例に示したゴルフカートＣは、ゴルフ場において広く一般的に使用されているカートである。このゴルフカートＣは、図１に全体の概形を示したように、通常は２人乗りか５人乗りのものが多用されている。これらのカートＣは、一般的には前後に座席シートＳ，Ｓが設けられ、それぞれの座席の左右にサイドアームＡが設けられている。また、前部座席の背部にはフロントアームＢが設けられている。
【００１７】
本考案にいうところのゴルフカートのアームレストＰは、同図１及び、該図１の主要部を拡大して示した図２において網目状に表示したように、これらのサイドアームＡやフロントアームＢの外周面を覆うように取り付けて使用するものである。
【００１８】
これらのサイドアームＡの外周面に取り付けて使用するアームレストＰと、フロントアームＢの外周面に取り付けて使用するアームレストＰとは、全体の長さを異ならせてあるだけで、その全体的な形状と構造は同じものとしてある。
【００１９】
而して、このアームレストＰの主体をなす帯状材１は、図３に全体の概形を示したように、該実施例のものにあっては、後に図５で詳述する亀甲形の網目模様に編んだ繊維本体１０を、所要幅と所要長さに裁断し、その長手方向に沿った両側縁部２，３を含めた全周面を縢り布１１で覆ってほつれ止めを行い、この縢り布１１の両側縁部２，３に沿って相互に連接・分離可能な着脱部材として、相互にかみ合うジッパー４，５を取り付けてある構造としたものである。同図３の符号６は、ジッパーのスライド金具である。このジッパー４，５どうしの連接操作と離脱操作によって前記ゴルフカートのアームに対する着脱操作を行うようにしたものである。
【００２０】
この帯状材１の主体を構成する前記繊維本体１０は、図５に概形を示したように、合成樹脂繊維を紐状に編みながら亀甲形に編んだ上下二面の編み生地１２，１２と、その間を繋ぐようにして所定間隔ａを維持させながら立体的に連結した無数の連結糸１３とによって形成した立体縫製生地を使用する。図５では、理解しやすくするために上下二面の編み生地１２，１２を上下に分離して図示したが、上部の編み生地１２から下方に向かって垂下した連結糸１３と、下部の編み生地１２から上方に向かって立ち上がった連結糸１３とは、実際には互いに他方の編み生地１２と連結されて編み込まれている。
【００２１】
この繊維本体１０は、上下二面の編み生地１２，１２自体と、その間を繋ぐ連結糸１３とによって、厚さ方向にクッション性を備えていて、ゴルフカートのアームへの取付時にこのクッション性を利用してジッパー４，５どうしの連接操作が容易にできるようにしてある。また、一旦取り付けた状態では、クッション性が作用していてアームに対してしっかりと取り付けられた状態を維持する。
【００２２】
このようにしたアームレストＰは、上下の編み生地１２，１２を共に亀甲模様としてあって、厚さ方向に透視可能な空間を備えたものとしてあるので、アームに対する防錆や錆隠しを行い、搭乗者に対する衝撃緩和と打撲傷や擦傷を軽減する作用の他に、通気性がよく、夏の汗ばんだ手で握っても滑りにくく、冬の極寒期でも金属の冷たさを感じさせず確実に握りやすく、雨に濡れても滑ることなく握りやすいという利点を備えているので、屋外で使用するゴルフカートのアームレストとして最適である。
【００２３】
この実施例で示した上下の編み生地１２，１２は、亀甲模様である必然性はなく、例えば、長方形や正方形のような方形や菱形でもよく、或いは三角形のような形状であってもよい。また、この編み生地１２は、滑りにくい編み地であることが好ましい。
【００２４】
以上本考案の代表的と思われる実施例について説明したが、本考案はこの実施例のもののみに限定されるものではなく、本考案の構成要件を充足し、考案の目的を達成し、効果を有する範囲内において適宜に改変して実施することができるものである。
【符号の説明】
【００２５】
１  帯状材
２  側縁部
３  側縁部
４  着脱部材
５  着脱部材
１０  繊維本体
１２  編み生地
１３  連結糸
Ａ  サイドアーム
Ｂ  フロントアーム
Ｃ  ゴルフカート
Ｐ  アームレスト
ａ  間隔
【図１】
0003161690.tif 000003
【図２】
0003161690.tif 000004
【図３】
0003161690.tif 000005
【図４】
0003161690.tif 000006
【図５】
0003161690.tif 000007